(57)【要約】【課題】医療関係者による患者の診察業務を支援する技術を提供することができる。【解決手段】データ処理装置は、対象者の生体データを取得する生体データ取得部と、前記対象者に処方された薬剤の残量を推定する残量推定部と、前記生体データを示す生体データ表示及び前記残量を示す残薬量表示を含む表示画面を構成する表示データを作成する表示データ作成部と、前記表示データを出力する表示データ出力部とを備えている。【選択図】図１
2019032775.tif 000002
【特許請求の範囲】
【請求項１】
対象者の生体データを取得する生体データ取得部と、
前記対象者に処方された薬剤の残量を推定する残量推定部と、
前記生体データを示す生体データ表示及び前記残量を示す残薬量表示を含む表示画面を構成する表示データを作成する表示データ作成部と、
前記表示データを出力する表示データ出力部と、
を備えるデータ処理装置。
【請求項２】
前記生体データ及び前記残量に基づいて、医療関係者への前記対象者の受診に関する緊急度を判断する判断部をさらに備え、
前記表示データ作成部は、前記緊急度を示す緊急度表示を含む前記表示画面を構成する前記表示データを作成する、
請求項１に記載のデータ処理装置。
【請求項３】
前記表示データ作成部は、前記残量に応じて異なる前記残薬量表示を含む前記表示画面を構成する前記表示データを作成する、請求項１に記載のデータ処理装置。
【請求項４】
前記残量推定部は、前記薬剤が処方された日付、前記薬剤の処方日数及び前記対象者により入力された前記薬剤の服用に関する情報に基づいて、前記残量を推定する、請求項１に記載のデータ処理装置。
【請求項５】
前記生体データ及び前記残量に基づいて、医療関係者による前記対象者の診察を支援するための診察支援メッセージを複数の候補の中から判断する判断部をさらに備え、
前記表示データ作成部は、前記診察支援メッセージを含む前記表示画面を構成する前記表示データを作成する、
請求項１に記載のデータ処理装置。
【請求項６】
対象者の生体データを取得する生体データ取得過程と、
前記対象者に処方された薬剤の残量を取得する残量推定過程と、
前記生体データを示す生体データ表示及び前記残量を示す残薬量表示を含む表示画面を構成する表示データを作成する表示データ作成過程と、
前記表示データを出力する表示データ出力過程と、
を備えるデータ処理方法。
【請求項７】
請求項１から５のうちの何れか１項に記載のデータ処理装置が備える各部としてコンピュータを機能させるデータ処理プログラム。
【発明の詳細な説明】
【技術分野】
【０００１】
本発明は、医療関係者の業務を支援するためのデータの処理技術に関する。
【背景技術】
【０００２】
近年、特許文献１に開示されているように、患者に処方された薬剤の残量を管理する技術の開発が進められている。
【０００３】
医者は、患者に処方した薬剤の残量の情報を参照して、患者の薬剤の使用状況を把握することができる。医者は、薬剤の残量に応じて、患者に処方する次の薬剤の種類及び量を調整する。そのため、薬剤の残量の情報は、医者にとって、患者を診断するための重要な情報である。
【先行技術文献】
【特許文献】
【０００４】
【特許文献１】特開２０１７−１０２８８５号公報
【発明の概要】
【発明が解決しようとする課題】
【０００５】
しかしながら、医者は、薬剤の残量の情報のみから、薬剤が患者に合っているのかどうか、薬剤が患者に効いているのかどうかなど、患者を適切に診断することはできない。医者は、薬剤の残量の情報以外の情報も収集して、患者を診察しなければいけない。このように、医者は患者の状況を把握するのに時間を要しているので、診察業務の効率化が望まれている。
【０００６】
この発明は、医療関係者による患者の診察業務を支援することができるデータ処理装置、データ処理方法及びデータ処理プログラムを提供しようとするものである。
【課題を解決するための手段】
【０００７】
この発明の第１の態様は、対象者の生体データを取得する生体データ取得部と、前記対象者に処方された薬剤の残量を推定する残量推定部と、前記生体データを示す生体データ表示及び前記残量を示す残薬量表示を含む表示画面を構成する表示データを作成する表示データ作成部と、前記表示データを出力する表示データ出力部とを備えるデータ処理装置である。
【０００８】
この発明の第１の態様によれば、医療関係者は、血圧に関する疾患の診察に必要な情報である対象者の血圧データ及び残薬量を一見して容易に把握することができる。医療関係者は、対象者の血圧データ及び残薬量の組み合わせに応じて、医療関係者への対象者の受診に関する緊急度だけでなく、薬剤が対象者に合っているのかどうか、薬剤が対象者に効いているのかどうか、対象者のセルフタイトレーションがうまく行われているのかどうかなどを容易に把握することができる。その結果、医療関係者は、効率的に対象者を診察することができる。
【０００９】
この発明の第２の態様は、第１の態様のデータ処理装置において、前記生体データ及び前記残量に基づいて、医療関係者への前記対象者の受診に関する緊急度を判断する判断部をさらに備え、前記表示データ作成部が、前記緊急度を示す緊急度表示を含む前記表示画面を構成する前記表示データを作成するようにしたものである。
【００１０】
この発明の第２の態様によれば、医療関係者は、医療関係者への対象者の受診に関する緊急度を容易に把握することができる。その結果、医療関係者は、効率的に対象者を診察することができる。
【００１１】
この発明の第３の態様は、第１の態様のデータ処理装置において、前記表示データ作成部が、前記残量に応じて異なる前記残薬量表示を含む前記表示画面を構成する前記表示データを作成するようにしたものである。
【００１２】
この発明の第３の態様によれば、医療関係者は、残薬量を容易に把握することができる。その結果、医療関係者は、効率的に対象者を診察することができる。
【００１３】
この発明の第４の態様は、第１の態様のデータ処理装置において、前記残量推定部が、前記薬剤が処方された日付、前記薬剤の処方日数及び前記対象者により入力された前記薬剤の服用に関する情報に基づいて、前記残量を推定するようにしたものである。
【００１４】
この発明の第４の態様によれば、データ処理装置は、対象者により入力された薬剤の服用に関する情報を用いることで、残薬量の推定精度を高めることができる。その結果、医療関係者は、確度の高い残薬量の情報を参照することで、適切に対象者を診察することができる。
【００１５】
この発明の第５の態様は、前記生体データ及び前記残量に基づいて、医療関係者による前記対象者の診察を支援するための診察支援メッセージを複数の候補の中から判断する判断部をさらに備え、前記表示データ作成部が、前記診察支援メッセージを含む前記表示画面を構成する前記表示データを作成するようにしたものである。
【００１６】
この発明の第５の態様によれば、医療関係者は、診察支援メッセージの支援により、生体データと残薬量の組み合わせに応じた検討事項を一見して容易に把握することができるので、効率よく対象者を診察することができる。
【００１７】
この発明の第６の態様は、対象者の生体データを取得する生体データ取得過程と、前記対象者に処方された薬剤の残量を取得する残量推定過程と、前記生体データを示す生体データ表示及び前記残量を示す残薬量表示を含む表示画面を構成する表示データを作成する表示データ作成過程と、前記表示データを出力する表示データ出力過程とを備えるデータ処理方法である。
【００１８】
この発明の第６の態様によれば、データ処理方法は、上述の第１の態様と同様の効果を得ることができる。
【００１９】
この発明の第７の態様は、第１の態様から第５の態様のうちの何れかの態様のデータ処理装置が備える各部としてコンピュータを機能させる情報処理プログラムである。
【００２０】
この発明の第７の態様によれば、データ処理プログラムは、上述の第１の態様と同様の効果を得ることができる。
【発明の効果】
【００２１】
本発明によれば、医療関係者による患者の診察業務を支援する技術を提供することができる。
【図面の簡単な説明】
【００２２】
【図１】実施形態に係る医療関係者用表示画面サーバの適用例を示すブロック図。
【図２】実施形態に係る医療関係者用表示画面サーバを含むデータ伝送システムを例示するブロック図。
【図３】実施形態に係る医療関係者用表示画面サーバのハードウェア構成を例示するブロック図。
【図４】実施形態に係る医療関係者用表示画面サーバのソフトウェア構成を例示するブロック図。
【図５】実施形態に係る緊急度及び診察支援メッセージを例示する図。
【図６】実施形態に係る表示データに基づく第１の表示画面を示す図。
【図７】実施形態に係る表示データに基づく第２の表示画面を示す図。
【図８】実施形態に係る表示データに基づく第３の表示画面を示す図。
【図９】実施形態に係る表示データに基づく第４の表示画面を示す図。
【図１０】実施形態に係る表示データに基づく第５の表示画面を示す図。
【図１１】実施形態に係る表示データに基づく第６の表示画面を示す図。
【図１２】実施形態に係る表示データに基づく第７の表示画面を示す図。
【図１３】実施形態に係る表示データに基づく第８の表示画面を示す図。
【図１４】実施形態に係る表示データに基づく第９の表示画面を示す図。
【図１５】実施形態に係る医療関係者用表示画面サーバによる表示データの出力動作を例示するフローチャート。
【図１６】実施形態に係る医療関係者用表示画面サーバによる緊急度の判断動作を例示するフローチャート。
【発明を実施するための形態】
【００２３】
以下、本発明の一側面に係る実施の形態（以下、「本実施形態」とも表記する）を、図面に基づいて説明する。ただし、以下で説明する本実施形態は、あらゆる点において本発明の例示に過ぎない。なお、本実施形態において登場するデータを自然言語により説明しているが、より具体的には、コンピュータが認識可能な疑似言語、コマンド、パラメータ、マシン語などで指定される。なお、以降、説明済みの要素と同一または類似の要素には同一または類似の符号を付し、重複する説明については基本的に省略する。
【００２４】
§１  適用例  
図１は、本実施形態に係る医療関係者用表示画面サーバ１０の適用例を模式的に示す図である。  
医療関係者用表示画面サーバ１０は、医療関係者による患者の診察業務を支援するための表示画面を構成する表示データを作成する。  
医療関係者用表示画面サーバ１０は、記憶部１２と、通信インタフェース１３と、生体データ取得部１１１１と、残量推定部１１１２と、判断部１１１３と、表示データ作成部１１１４と、表示データ出力部１１１５とを備える。
【００２５】
生体データ取得部１１１１は、記憶部１２から患者の血圧データを取得する。生体データ取得部１１１１は、患者の血圧データを判断部１１１３及び表示データ作成部１１１４へ出力する。  
残量推定部１１１２は、患者の残薬量を推定する。残量推定部１１１２は、残薬量を示す情報を判断部１１１３及び表示データ作成部１１１４へ出力する。  
判断部１１１３は、血圧データ及び残薬量に基づいて、医療関係者への患者の受診に関する緊急度を判断する。判断部１１１３は、緊急度を示す情報を表示データ作成部１１１４へ出力する。
【００２６】
表示データ作成部１１１４は、血圧データを示す血圧データ表示及び残薬量を示す残薬量表示を含む表示画面を構成する表示データを作成する。表示データ作成部１１１４は、血圧データ表示及び残薬量表示に加えて、緊急度を示す緊急度表示を含む表示画面を構成する表示データを作成するようにしてもよい。表示データ作成部１１１４は、表示データを表示データ出力部１１１５へ出力する。  
表示データ出力部１１１５は、表示データを通信インタフェース１３へ出力する。通信インタフェース１３は、ネットワークを介して、表示データを医療関係者用携帯端末２０へ送信する。
【００２７】
医療関係者用携帯端末２０は、上述のように医療関係者用表示画面サーバ１０で作成された表示データに基づく表示画面を構成する。医療関係者は、表示画面を確認しながら患者を診察することができる。
【００２８】
以上のとおり、本実施形態によれば、医療関係者用表示画面サーバ１０は、医療関係者による患者の診察業務を支援することができる。
【００２９】
§２  構成例  
＜データ伝送システム＞  
図２は、本実施形態に係る医療関係者用表示画面サーバ１０を含むデータ伝送システムを例示するブロック図である。
【００３０】
データ伝送システムは、医療関係者用表示画面サーバ１０と、医療関係者用携帯端末２０と、血圧計３０と、体重計４０と、活動量計５０と、患者用携帯端末６０と、データクラウド７０と、データ抽出サーバ８０とを備えている。
【００３１】
医療関係者用表示画面サーバ１０は、医療関係者による患者の診察業務を支援するための表示画面を構成する表示データを作成し、表示データを医療関係者用携帯端末２０へ出力する。医療関係者用表示画面サーバ１０は、データ処理装置の一例である。医療関係者用表示画面サーバ１０の構成については後述する。例えば、医療関係者は医者であるが、これに限定されない。患者は、対象者と称することもある。
【００３２】
医療関係者用携帯端末２０は、スマートフォンまたはタブレットであるが、これらに限定されない。医療関係者用携帯端末２０は、ネットワークを介して、医療関係者用表示画面サーバ１０から表示データを受信する。例えば、ネットワークは、病院内のＷＬＡＮ（Ｗｉｒｅｌｅｓｓ  Ｌｏｃａｌ  Ａｒｅａ  Ｎｅｔｗｏｒｋ）またはインターネットであるが、これらに限定されない。医療関係者用携帯端末２０は、表示データに基づく表示画面を構成する。
【００３３】
血圧計３０は、患者の血圧を１拍毎に連続的に測定可能な血圧計である。例えば、血圧計３０は、ウェアラブル型の血圧計である。血圧計３０は、患者の血圧を測定することで血圧データを取得する。
【００３４】
血圧データは、収縮期血圧ＳＢＰ（Ｓｙｓｔｏｌｉｃ  Ｂｌｏｏｄ  Ｐｒｅｓｓｕｒｅ）及び拡張期血圧ＤＢＰ（Ｄｉａｓｔｏｌｉｃ  Ｂｌｏｏｄ  Ｐｒｅｓｓｕｒｅ）の値と脈拍数とを含み得るが、これらに限定されない。さらに、血圧データは、血圧の測定日時を含む。測定日時は、血圧計３０に実装される時計機能によって検出される。血圧計３０は、脈波伝播時間（ＰＴＴ：Ｐｕｌｓｅ  Ｔｒａｎｓｉｔ  Ｔｉｍｅ）から患者の血圧を測定してもよいし、トノメトリ法または他の技法により測定してもよい。血圧計３０は生体情報測定装置の一例である。血圧データは生体データの一例である。血圧計３０は、近距離無線通信を用いて、患者の血圧データを患者用携帯端末６０へ送信する。例えば、近距離無線通信はブルートゥース（登録商標）による通信であるが、これに限定されない。
【００３５】
体重計４０は、患者の体重を測定する。体重計４０は生体情報測定装置の一例である。体重データは生体データの一例である。体重計４０は、近距離無線通信を用いて、患者の体重データを患者用携帯端末６０へ送信する。
【００３６】
活動量計５０は、互いに直交する３方向の加速度を表す加速度信号を用いて、患者の活動量を連続的に測定する。活動量計５０は、患者の活動量を測定することで活動量データを取得する。活動量データは、活動量の測定日時を含む。測定日時は、活動量計５０に実装される時計機能によって検出される。活動量計５０は、近距離無線通信を用いて、患者の活動量データを患者用携帯端末６０へ送信する。
【００３７】
患者用携帯端末６０は、スマートフォンまたはタブレットであるが、これらに限定されない。患者用携帯端末６０は、近距離無線通信を用いて、血圧計３０から血圧データを受信する。患者用携帯端末６０は、インターネットなどのネットワークを介して、患者用携帯端末６０を所有する患者の識別情報に紐付けて血圧データをデータクラウド７０へ送信する。
【００３８】
患者用携帯端末６０は、近距離無線通信を用いて、体重計４０から体重データを受信する。患者用携帯端末６０は、体重データ及び予め登録されている患者の身長の情報を参照し、患者のＢＭＩ（Ｂｏｄｙ  Ｍａｓｓ  Ｉｎｄｅｘ）データを作成する。ＢＭＩデータは、生体データの一例である。患者用携帯端末６０は、体重計４０から体重データを受信した日時を、患者が体重を測定した日時としてＢＭＩデータに含める。患者用携帯端末６０が体重計４０から体重データを受信した日時は、患者用携帯端末６０に実装される時計機能によって検出される。患者用携帯端末６０は、インターネットなどのネットワークを介して、患者用携帯端末６０を所有する患者の識別情報に紐付けてＢＭＩデータをデータクラウド７０へ送信する。
【００３９】
患者用携帯端末６０は、近距離無線通信を用いて、活動量計５０から活動量データを受信する。患者用携帯端末６０は、インターネットなどのネットワークを介して、患者用携帯端末６０を所有する患者の識別情報に紐付けて活動量データをデータクラウド７０へ送信する。
【００４０】
データクラウド７０は、表示データの作成に用いられる複数の患者に関するデータを記憶するサーバである。データクラウド７０は、各患者の識別番号に紐付けてデータを記憶する。例えば、データクラウド７０は、血圧データ、ＢＭＩデータ及び活動量データを記憶する。
【００４１】
データ抽出サーバ８０は、インターネットなどのネットワークを介して、医療関係者用表示画面サーバ１０及びデータクラウド７０と通信する。データ抽出サーバ８０は、医療関係者用表示画面サーバ１０からの要求に応じて、表示データの作成に用いられるデータをデータクラウド７０から抽出する。例えば、データ抽出サーバ８０は、医療関係者用表示画面サーバ１０からの要求に含まれる患者の識別番号を参照する。データ抽出サーバ８０は、この識別番号に紐付けられているデータをデータクラウド７０から抽出する。例えば、データ抽出サーバ８０は、データクラウド７０から血圧データ、ＢＭＩデータ及び活動量データを抽出する。データ抽出サーバ８０は、データクラウド７０から抽出したデータを医療関係者用表示画面サーバ１０へ送信する。
【００４２】
＜医療関係者用表示画面サーバ＞  
［ハードウェア構成］  
図３は、医療関係者用表示画面サーバ１０のハードウェア構成の一例を模式的に示す図である。  
医療関係者用表示画面サーバ１０は、制御部１１と、記憶部１２と、通信インタフェース１３とが電気的に接続されたコンピュータである。なお、図３では、通信インタフェースを、「通信Ｉ／Ｆ」と記載している。
【００４３】
制御部１１は、医療関係者用表示画面サーバ１０の各部の動作を制御する。制御部１１は、ＣＰＵ（Ｃｅｎｔｒａｌ  Ｐｒｏｃｅｓｓｉｎｇ  Ｕｎｉｔ）１１１、ＲＯＭ（Ｒｅａｄ  Ｏｎｌｙ  Ｍｅｍｏｒｙ）１１２、ＲＡＭ（Ｒａｎｄｏｍ  Ａｃｃｅｓｓ  Ｍｅｍｏｒｙ）１１３などを含む。ＣＰＵ１１１は、プロセッサの一例である。ＣＰＵ１１１は、記憶部１２に格納された医療関係者用表示画面サーバ１０を機能させるためのプログラムをＲＡＭ１１３に展開する。そして、ＣＰＵ１１１がＲＡＭ１１３に展開されたプログラムを解釈及び実行することで、制御部１１は、様々な情報処理を実行可能である。例えば、制御部１１は、ＣＰＵ１１１がＲＡＭ１１３に展開されたプログラムを解釈及び実行することで、ソフトウェア構成の項目において説明される生体データ取得部１１１１、残量推定部１１１２、判断部１１１３、表示データ作成部１１１４及び表示データ出力部１１１５を実行可能となる。
【００４４】
記憶部１２は、いわゆる補助記憶装置である。例えば、記憶部１２は、ＨＤＤ（Ｈａｒｄ  Ｄｉｓｋ  Ｄｒｉｖｅ）であるが、これに限定されない。記憶部１２は、制御部１１で実行されるプログラム及び制御部１１によって使用される各種データを記憶する。プログラムは、制御部１１を動作させる命令ということもできる。
【００４５】
記憶部１２は、患者に関する種々の情報を記憶している。例えば、記憶部１２は、患者に設定された血圧の目標値を、患者の識別番号に紐付けて記憶している。血圧の目標値は、医療関係者用携帯端末２０から送信される情報に基づいている。一例を説明する。医療関係者は、患者の血圧データを参照して、患者の血圧の目標値を医療関係者用携帯端末２０で設定する。医療関係者用携帯端末２０は、血圧の目標値及び患者の識別番号を示す設定情報を医療関係者用表示画面サーバ１０へ送信する。医療関係者用表示画面サーバ１０は、設定情報に基づいて、患者に設定された血圧の目標値を、患者の識別番号に紐付けて記憶部１２に記憶させる。
【００４６】
記憶部１２は、患者データベース及び残薬量データベースを含む。  
患者データベースは、データ抽出サーバ８０を介してデータクラウド７０から取得された各患者の血圧データ、ＢＭＩデータ及び活動量データを、各患者の識別番号に紐付けて蓄積する。
【００４７】
残薬量データベースは、各患者に処方された薬剤の残量（以下、残薬量とも称する）に関するデータを、各患者の識別番号に紐付けて蓄積する。残薬量に関するデータは、薬剤の種類、薬剤が処方された日付、薬剤の処方日数及び患者により入力された薬剤の服用に関する情報を含む。なお、薬剤が処方された日付は、患者の最終来院日に相当する。
【００４８】
薬剤の種類、薬剤が処方された日付及び薬剤の処方日数は、医療関係者用携帯端末２０から送信される情報に基づいている。一例を説明する。医療関係者は、患者に処方する薬剤の種類及び薬剤の処方日数を医療関係者用携帯端末２０で設定する。医療関係者用携帯端末２０は、薬剤の種類及び薬剤の処方日数に加えて、患者の識別番号及び薬剤が処方された日付を取得する。医療関係者用携帯端末２０は、薬剤の種類、薬剤の処方日数、患者の識別番号及び薬剤が処方された日付を示す設定情報を医療関係者用表示画面サーバ１０へ送信する。医療関係者用表示画面サーバ１０は、設定情報に基づいて、残薬量データベースを更新する。
【００４９】
薬剤の服用に関する情報は、患者が指定の用法及び用量で薬剤を服用しているか否かを示す情報である。薬剤の服用に関する情報は、患者用携帯端末６０から送信される情報に基づいている。一例を説明する。患者は、予め定められた期間毎に、この期間内に指定の用法及び用量で薬剤を服用したことを患者用携帯端末６０で入力する。例えば、患者は、１日毎に、１日分の薬剤を服用したことを患者用携帯端末６０で入力する。これに代えて、患者は、予め定められた期間毎に、この期間内に指定の用法及び用量で薬剤を服用し忘れたことを患者用携帯端末６０で入力してもよい。例えば、患者は、１日毎に、１日分の薬剤を服用し忘れたことを患者用携帯端末６０で入力する。患者用携帯端末６０は、患者による入力情報を医療関係者用表示画面サーバ１０へ送信する。医療関係者用表示画面サーバ１０は、入力情報に基づいて、残薬量データベースを更新する。
【００５０】
通信インタフェース１３は、移動通信（３Ｇ、４Ｇなど）及びＷＬＡＮなどのための各種無線通信モジュールを含む。通信インタフェース１３は、医療関係者用携帯端末２０、患者用携帯端末６０及びデータ抽出サーバ８０と通信する。
【００５１】
なお、医療関係者用表示画面サーバ１０の具体的なハードウェア構成に関して、実施形態に応じて、適宜、構成要素の省略、置換及び追加が可能である。例えば、制御部１１は、複数のプロセッサを含んでもよい。
【００５２】
＜医療関係者用表示画面サーバ＞  
［ソフトウェア構成］  
図４は、医療関係者用表示画面サーバ１０のソフトウェア構成の一例を模式的に示す図である。  
制御部１１は、生体データ取得部１１１１と、残量推定部１１１２と、判断部１１１３と、表示データ作成部１１１４と、表示データ出力部１１１５とを実装する。説明の簡略化のため、ここでは、制御部１１が１人の患者の各種表示を含む表示画像を構成する表示データを作成する例を説明する。なお、制御部１１は、複数の患者のそれぞれの各種表示を含む表示画像を構成する表示データも同様に作成することができる。
【００５３】
生体データ取得部１１１１について説明する。  
生体データ取得部１１１１は、以下に例示するように、患者の血圧データを取得する。生体データ取得部１１１１は、記憶部１２に含まれる患者データベースから、患者の識別番号に紐付けられている血圧データを取得する。生体データ取得部１１１１は、患者の血圧データを判断部１１１３及び表示データ作成部１１１４へ出力する。
【００５４】
残量推定部１１１２について説明する。  
残量推定部１１１２は、以下に例示するように、患者に処方された薬剤の残量を推定する。例えば、残量推定部１１１２は、薬剤が処方された日付、薬剤の処方日数及び患者により入力された薬剤の服用に関する情報に基づいて、残薬量を推定する。この例では、まず、残量推定部１１１２は、薬剤が処方された日から現在までの経過日数を算出する。次に、残量推定部１１１２は、薬剤の服用に関する情報に基づいて、薬剤が処方された日から現在までの間に患者が薬剤を服用し忘れた日数を算出する。残量推定部１１１２は、薬剤の処方日数から経過日数及び患者が薬剤を服用し忘れた日数を差し引いた残りの日数分の薬剤の量を残薬量として推定する。  
残量推定部１１１２は、残薬量を示す情報を判断部１１１３及び表示データ作成部１１１４へ出力する。
【００５５】
判断部１１１３について説明する。  
判断部１１１３は、以下に例示するように、血圧データ及び残薬量に基づいて、医療関係者への患者の受診に関する緊急度を判断する。この例では、判断部１１１３は、生体データ取得部１１１１からの患者の血圧データ及び残量推定部１１１２からの残薬量を示す情報を参照する。判断部１１１３による緊急度の判断例については後述する。判断部１１１３は、緊急度を示す情報を表示データ作成部１１１４へ出力する。
【００５６】
さらに、判断部１１１３は、以下に例示するように、血圧データ及び残薬量に基づいて、医療関係者による患者の診察を支援するための診察支援メッセージを複数の候補の中から選択（判断）する。この例では、判断部１１１３は、生体データ取得部１１１１からの患者の血圧データ、残量推定部１１１２からの残薬量を示す情報及び記憶部１２に記憶されている複数の診察支援メッセージを参照する。記憶部１２は、血圧値と残薬量との組み合わせを、予め設定されている複数の診察支援メッセージのそれぞれと対応付けて記憶している。なお、本実施形態で説明する血圧値とは、収縮期血圧ＳＢＰの値及び拡張期血圧ＤＢＰの値の両方を指しているものとする。判断部１１１３による診察支援メッセージの選択例については後述する。判断部１１１３は、診察支援メッセージを示す情報を表示データ作成部１１１４へ出力する。
【００５７】
なお、緊急度の判断及び診察支援メッセージの選択は、判断部１１１３によって実行されているが、制御部１１に実装される別個の要素によって実行されてもよい。
【００５８】
表示データ作成部１１１４について説明する。  
表示データ作成部１１１４は、以下に例示するように、種々の表示データを作成する。例えば、表示データ作成部１１１４は、血圧データを示す血圧データ表示及び残薬量を示す残薬量表示を含む表示画面を構成する表示データを作成する。血圧データ表示及び残薬量表示は、患者の表示に関連付けられている。例えば、患者の表示は、患者名及び患者番号である。血圧データ表示は、最近５日間の平均血圧値を示していてもよい。
【００５９】
表示データ作成部１１１４は、残薬量に応じて異なる残薬量表示を含む表示画像を構成する表示データを作成するようにしてもよい。例えば、残薬量表示は残薬量に応じた３段階の表示であるが、２段階または４段階以上であってもよい。例えば、残薬量がない場合、残薬量表示は、「×」を示す。残薬量が０日分より多く１０日分未満である場合、残薬量表示は、「△」を示す。残薬量が１０日分以上である場合、残薬量表示は、「○」を示す。なお、残薬量表示は、上述の記号に代えて、残薬量に応じた異なる色を示してもよく、残薬量に応じた絵柄を示してもよく、その表示態様は限定されない。
【００６０】
表示データ作成部１１１４は、血圧データ表示及び残薬量表示に加えて、緊急度を示す緊急度表示を含む表示画面を構成する表示データを作成するようにしてもよい。この例では、血圧データ表示、残薬量表示及び緊急度表示は、患者の表示に関連付けられている。緊急度表示は、緊急度に応じて異なる色を示す。なお、緊急度表示は、色に代えて、緊急度応じて異なる記号を示してもよく、その表示態様は限定されない。
【００６１】
表示データ作成部１１１４は、血圧データ表示、残薬量表示及び緊急度表示に加えて、目標値表示、薬剤数表示、最終来院表示、診察支援メッセージの表示及び残薬量の計算式の表示のうちの少なくとも一つの表示を含む表示画像を構成する表示データを作成してもよい。これらの表示は、患者の表示に関連付けられている。目標値表示は、記憶部１２に記憶されている患者に設定された血圧の目標値の情報に基づいている。薬剤数表示は、残薬量データベースに蓄積されている患者に処方された薬剤の種類に基づいている。最終来院表示は、残薬量データベースに蓄積されている薬剤が処方された日付に基づいている。診察支援メッセージの表示は、判断部１１１３で選択された診察支援メッセージに基づいている。残薬量の計算式の表示は、残薬量の推定に用いられる薬剤の処方日数、経過日数及び患者が薬剤を服用し忘れた日数に基づいている。
【００６２】
さらに、表示データ作成部１１１４は、患者毎の詳細を示す表示画面を構成する表示データを作成するようにしてもよい。詳細を示す表示画面は、血圧データ表示、ＢＭＩデータを示すＢＭＩデータ表示、活動量データを示す活動量データ表示及び医療関係者用設定欄の表示などを含む。血圧データ表示は、最近５日間の平均血圧値の表示及び最終来院から５日間の平均血圧値の表示を含む。さらに、血圧データ表示は、月、週または日毎の血圧の変化を示すグラフの表示を含む。ＢＭＩデータ表示は、月、週または日毎のＢＭＩの変化を示すグラフの表示を含む。活動量データ表示は、月、週または日毎の活動量の変化を示すグラフの表示を含む。医療関係者用設定欄の表示は、患者の診察に関する情報を設定可能に構成されている。例えば、医療関係者用設定欄の表示は、職場での血圧値、患者の血圧の目標値、医療関係者及び患者へ警告を発するための閾値となる血圧値、処方する薬剤の種類及び薬剤の処方日数を設定可能に構成されている。
【００６３】
表示データ作成部１１１４は、これら以外の表示画面を構成する表示データを作成するようにしてもよい。  
表示データに基づく表示画面については後述する。  
表示データ作成部１１１４は、表示データを表示データ出力部１１１５へ出力する。
【００６４】
表示データ出力部１１１５について説明する。  
表示データ出力部１１１５は、以下に例示するように、表示データを出力する。表示データ出力部１１１５は、表示データ作成部１１１４から表示データを受け取る。表示データ出力部１１１５は、表示データを通信インタフェース１３へ出力する。通信インタフェース１３は、ネットワークを介して、表示データを医療関係者用携帯端末２０へ送信する。
【００６５】
＜緊急度及び診察支援メッセージ＞  
図５は、緊急度及び診察支援メッセージを例示する図である。  
はじめに、判断部１１１３による緊急度の判断例について説明する。  
ここでは、判断部１１１３が緊急度を３段階（高、中、低）で判断する例を説明する。なお、判断部１１１３は、緊急度を２段階で判断しても、４段階以上で判断してもよい。
【００６６】
まず、判断部１１１３は、生体データ取得部１１１１から血圧データを取得する。判断部１１１３は、血圧データから血圧値を取得する。例えば、判断部１１１３は、最近５日間の血圧値の平均値を算出することで、血圧値を取得する。なお、判断部１１１３が緊急度の判断に用いる血圧値は、最近１０日間の平均値または前日の平均値などであってもよく、限定されない。判断部１１１３は、血圧値が基準を満たすか否かを判断する。基準は、血圧値が適正か否かを評価するために任意に設定されている。例えば、基準は、収縮期血圧ＳＢＰの値が１４０ｍｍＨｇ未満かつ拡張期血圧ＤＢＰの値が９０ｍｍＨｇ未満であるが、これに限定されない。血圧値が基準を満たす場合、判断部１１１３は、患者の血圧値が適正であると判断する。他方、血圧値が基準を満たさない場合、判断部１１１３は、患者の血圧値が高いと判断する。
【００６７】
次に、判断部１１１３は、残薬量を判断する。ここでは、判断部１１１３は、残薬量を評価するために任意に設定されている基準値を参照する。例えば、基準値は１０日分の薬剤の量であるが、これに限定されない。残薬量が０である場合、判断部１１１３は、残薬量がないと判断する。残薬量が０よりも多く基準値未満である場合、判断部１１１３は、残薬量が少しであると判断する。残薬量が基準値以上である場合、判断部１１１３は、残薬量が多いと判断する。
【００６８】
判断部１１１３は、上述のように分類した血圧値と残薬量の組み合わせに基づいて、緊急度を判断する。血圧値が高い、かつ、残薬量がない場合、判断部１１１３は、緊急度を「高」と判断する。血圧値が高い、かつ、残薬量がある場合、判断部１１１３は、緊急度を中と判断する。残薬量によらず、血圧値が適正である場合、判断部１１１３は、緊急度を「低」と判断する。
【００６９】
なお、判断部１１１３は、血圧データ及び残薬量に基づく緊急度の判断に代えて、血圧データに基づいて緊急度を判断してもよい。ここでは、判断部１１１３が緊急度を３段階（高、中、低）で判断する例を説明する。なお、判断部１１１３は、緊急度を２段階で判断しても、４段階以上で判断してもよい。
【００７０】
判断部１１１３は、上述のように、血圧データから血圧値を取得する。収縮期血圧ＳＢＰの値が１６０ｍｍＨｇ以上または拡張期血圧ＤＢＰの値が１００ｍｍＨｇ以上である場合、判断部１１１３は、緊急度を「高」と判断する。収縮期血圧ＳＢＰの値が１４０ｍｍＨｇ以上１６０ｍｍＨｇ未満または拡張期血圧ＤＢＰの値が９０ｍｍＨｇ以上１００ｍｍＨｇ未満である場合、判断部１１１３は、緊急度を「中」と判断する。収縮期血圧ＳＢＰの値が１４０ｍｍＨｇ未満及び拡張期血圧ＤＢＰの値が９０ｍｍＨｇ未満である場合、判断部１１１３は、緊急度を「低」と判断する。
【００７１】
次に、判断部１１１３による診察支援メッセージの選択例について説明する。  
判断部１１１３は、上述のように分類した血圧値と残薬量の組み合わせに基づいて、図５の「判断」の項目に示すような診察支援メッセージを複数の候補の中から選択する。血圧値が高い、かつ、残薬量がない場合、判断部１１１３は、至急投薬が必要であることの検討を医療関係者へ促す診察支援メッセージを選択する。血圧値が高い、かつ、残薬量が少しである場合、判断部１１１３は、患者の来院予約が必要であることの検討及び増薬が必要か否かの検討を医療関係者へ促す診察支援メッセージを選択する。血圧値が高い、かつ、残薬量が多い場合、判断部１１１３は、患者が薬剤を飲んでいるのか否かまたは増薬が必要か否かの検討を医療関係者へ促す診察支援メッセージを選択する。血圧値が適正、かつ、残薬量がない場合、判断部１１１３は、薬剤が不要であることの検討あるいは減薬の可能性の検討を医療関係者へ促す診察支援メッセージを選択する。血圧値が適正、かつ、残薬量が少しである場合、判断部１１１３は、患者に来院予約のお知らせを実施することの検討を医療関係者へ促す示す診察支援メッセージを選択する。血圧値が適正、かつ、残薬量が多い場合、判断部１１１３は、患者のセルフタイトレーションがうまく行われている可能性の検討及びウォッチでよいことの検討を医療関係者へ促す診察支援メッセージを選択する。ここで、セルフタイトレーションとは、患者が自己の血圧データを参照して、自己の判断により薬剤の服用量及び服用間隔を調整することをいう。
【００７２】
上述のように、判断部１１１３は、緊急度が「中」または「低」であっても、残薬量に応じて異なる診察支援メッセージを選択する。その理由は、血圧値と残薬量の組み合わせに応じて、医療関係者に望まれる検討事項が異なるからである。
【００７３】
＜表示画面＞  
医療関係者用携帯端末２０は、医療関係者用表示画面サーバ１０によって作成された種々の表示データに基づいて、種々の表示画面を構成する。ここでは、表示データに基づく表示画面のいくつかの例について説明する。  
図６から図１４は、表示データに基づく表示画面の例を模式的に示す図である。
【００７４】
図６は、表示データに基づく第１の表示画面を示す。第１の表示画面は、検索ボックス表示２０１、リンク表示２０２及びリンク表示２０３を含む。検索ボックス表示２０１は、全患者の中から特定の患者を検索するために、患者名、患者番号または緊急度などのキーワードを入力可能に構成されている。リンク表示２０２は、医療関係者による選択に応答して、全患者の一覧を示す表示画面へリンクするように構成されている。リンク表示２０３は、医療関係者による選択に応答して、次の診察対象の患者の詳細を示す表示画面へリンクするように構成されている。
【００７５】
図７は、表示データに基づく第２の表示画面を示す。第２の表示画面は、第１の表示画面の検索ボックス表示２０１にキーワードが入力されることに応答して、第１の表示画面から遷移する。第２の表示画面は、検索ボックス表示２０１に入力されたキーワードを名前の一部に含む患者の一覧を示す。第２の表示画面は、血圧データ表示、残薬量表示、緊急度表示２０４、目標値表示、薬剤数表示及び最終来院表示を含む。これらの表示は、患者の表示に関連付けられている。例えば、残薬量表示は、残薬量に応じて異なる記号を示す。例えば、緊急度表示２０４は、緊急度応じて異なる色を示す。なお、第２の表示画面は、少なくとも血圧データ表示及び残薬量表示を含んでいればよく、上述の全ての表示を含んでいなくてもよい。後述の第３〜第５の表示画面も第２の表示画面と同様に、少なくとも血圧データ表示及び残薬量表示を含んでいればよく、上述の全ての表示を含んでいなくてもよい。
【００７６】
なお、第２の表示画面は、医療関係者によるカーソル操作に応答して表示される診察支援メッセージの表示を含んでいてもよい。例えば、診察支援メッセージの表示は、医療関係者が任意の患者の欄にカーソルを合わせることに応答して、この患者について選択された診察支援メッセージを示す。医療関係者は、診察支援メッセージの支援により、効率よく患者を診察することができる。なお、後述の第３〜第５の表示画面も第２の表示画面と同様に診察支援メッセージの表示を含んでいてもよい。
【００７７】
図８は、表示データに基づく第３の表示画面を示す。第３の表示画面は、第２の表示画面と同様に、検索ボックス表示２０１に入力されたキーワードを名前の一部に含む患者の一覧を示す。第３の表示画面は、第２の表示画面と同様に、血圧データ表示、残薬量表示、緊急度表示２０４、目標値表示、薬剤数表示及び最終来院表示を含む。さらに、第３の表示画面は、医療関係者によるカーソル操作に応答して表示される残薬量の計算式の表示を含む。例えば、残薬量の計算式の表示は、医療関係者が任意の患者の欄にカーソルを合わせることに応答して、この患者について推定された残薬量を示す。残薬量の計算式の表示は、残薬量に加えて、残薬量の推定に用いられた薬剤の処方日数、経過日数及び患者が薬剤を服用し忘れた日数を示す。
【００７８】
図９は、表示データに基づく第４の表示画面を示す。第４の表示画面は、第１の表示画面のリンク表示２０２の選択に応答して、第１の表示画面から遷移する。第４の表示画面は、全患者一覧を示す。なお、第４の表示画面は、第２の表示画面または第３の表示画面に含まれるリンク表示２０２の選択に応答して、第２の表示画面または第３の表示画面から遷移してもよい。第４の表示画面は、第２の表示画面と同様に、血圧データ表示、残薬量表示、緊急度表示２０４、目標値表示、薬剤数表示及び最終来院表示を含む。さらに、第４の表示画面は、警告表示２０５を含む。警告表示２０５は、血圧値が医療関係者によって設定された閾値を超えていることを示す。医療関係者は、第４の表示画面をスクロールすることで、全患者の情報を確認することができる。
【００７９】
図１０は、表示データに基づく第５の表示画面を示す。第５の表示画面は、第４の表示画面と同様に、全患者一覧を示す。さらに、第５の表示画面は、第３の表示画面と同様に、医療関係者によるカーソル操作に応答して表示される残薬量の計算式の表示を含む。
【００８０】
図１１は、表示データに基づく第６の表示画面を示す。第６の表示画面は、診断対象の患者の詳細を示す。第６の表示画面は、医療関係者による第１の表示画面のリンク表示２０３の選択に応答して、第１の表示画面から遷移する。第６の表示画面は、最近５日間の平均血圧値、最終来院から５日間の平均血圧値及び月、週または日毎の血圧の変化を示すグラフを含む血圧データ表示を含む。
【００８１】
図１２は、表示データに基づく第７の表示画面を示す。第７の表示画面は、診断対象の患者の詳細を示す。第７の表示画面は、医療関係者による第６の表示画面のＢＭＩ情報の欄の選択に応答して表示されるＢＭＩデータ表示を含む。ＢＭＩデータ表示は、月、週または日毎のＢＭＩの変化を示すグラフを含む。
【００８２】
図１３は、表示データに基づく第８の表示画面を示す。第８の表示画面は、診断対象の患者の詳細を示す。第８の表示画面は、医療関係者による第６の表示画面の活動量情報の欄の選択に応答して表示される活動量データ表示を含む。活動量データ表示は、月、週または日毎の活動量の変化を示すグラフを含む。
【００８３】
図１４は、表示データに基づく第９の表示画面を示す。第９の表示画面は、診断対象の患者の詳細を示す。第９の表示画面は、第６の表示画面の所定の欄の選択に応答して表示される医療関係者用設定欄の表示を含む。医療関係者は、患者の診断に応じて、各種情報を設定することができる。例えば、医療関係者は、職場での血圧値、患者の血圧の目標値、医療関係者及び患者へ警告を発するための閾値となる血圧値、処方する薬剤の種類及び薬剤の処方日数を設定することができる。医療関係者用携帯端末２０は、医療関係者用設定欄で設定された情報を医療関係者用表示画面サーバ１０へ送信する。
【００８４】
§３  動作例  
＜医療関係者用表示画面サーバ＞  
（表示データの出力動作）  
図１５は、医療関係者用表示画面サーバ１０による表示データの出力動作の一例を示すフローチャートである。なお、以下で説明する処理手順は一例に過ぎず、各処理は可能な限り変更されてよい。また、以下で説明する処理手順について、実施形態に応じて、適宜、ステップの省略、置換及び追加が可能である。
【００８５】
生体データ取得部１１１１は、例示したように、患者の血圧データを取得する（ステップＳ１０１）。  
残量推定部１１１２は、例示したように、残薬量を推定する（ステップＳ１０２）。
【００８６】
表示データ作成部１１１４は、例示したように、血圧データを示す血圧データ表示及び残薬量を示す残薬量表示を含む表示画像を構成する表示データを作成する（ステップＳ１０３）。なお、表示データ作成部１１１４は、血圧データ表示及び残薬量表示に加えて、または、これらに代えて、別の表示を含む表示画面を構成する表示データを作成するようにしてもよい。  
表示データ出力部１１１５は、例示したように、表示データを出力する（ステップＳ１０４）。
【００８７】
＜医療関係者用表示画面サーバ＞  
（緊急度の判断動作）  
図１６は、医療関係者用表示画面サーバ１０による緊急度の判断動作の一例を示すフローチャートである。なお、以下で説明する処理手順は一例に過ぎず、各処理は可能な限り変更されてよい。また、以下で説明する処理手順について、実施形態に応じて、適宜、ステップの省略、置換及び追加が可能である。
【００８８】
判断部１１１３は、例示したように、患者の血圧データを取得する（ステップＳ２０１）。  
判断部１１１３は、例示したように、血圧値が基準を満たすか否かを判断する（ステップＳ２０２）。
【００８９】
血圧値が基準を満たさない場合（ステップＳ２０２、Ｎｏ）、判断部１１１３は、例示したように、残薬量があるか否かを判断する（ステップＳ２０３）。残薬量がない場合（ステップＳ２０３、Ｙｅｓ）、判断部１１１３は、緊急度を「高」と判断する（ステップＳ２０４）。残薬量がある場合（ステップＳ２０３、Ｎｏ）、判断部１１１３は、緊急度を「中」と判断する（ステップＳ２０５）。
【００９０】
血圧値が基準を満たす場合（ステップＳ２０２、Ｙｅｓ）、判断部１１１３は、緊急度を「低」と判断する（ステップＳ２０６）。
【００９１】
［作用・効果］
以上説明したように、本実施形態では、医療関係者用表示画面サーバ１０は、血圧データ表示及び残薬量表示を含む表示画面を構成する表示データを作成する。  
これにより、医療関係者は、血圧に関する疾患の診察に必要な情報である患者の血圧データ及び残薬量を一見して容易に把握することができる。医療関係者は、患者の血圧データ及び残薬量の組み合わせに応じて、医療関係者への患者の受診に関する緊急度だけでなく、薬剤が患者に合っているのかどうか、薬剤が患者に効いているのかどうか、患者のセルフタイトレーションがうまく行われているのかどうかなどを容易に把握することができる。その結果、医療関係者は、効率的に患者を診察することができる。
【００９２】
さらに、本実施形態では、医療関係者用表示画面サーバ１０は、緊急度表示を含む表示画面を構成する表示データを作成する。  
これにより、医療関係者は、医療関係者への患者の受診に関する緊急度を容易に把握することができる。その結果、医療関係者は、効率的に患者を診察することができる。
【００９３】
さらに、本実施形態では、医療関係者用表示画面サーバ１０は、残薬量に応じて異なる残薬量表示を含む表示画面を構成する表示データを作成する。  
これにより、医療関係者は、残薬量を容易に把握することができる。その結果、医療関係者は、効率的に患者を診察することができる。
【００９４】
さらに、本実施形態では、医療関係者用表示画面サーバ１０は、薬剤が処方された日付、薬剤の処方日数及び患者により入力された薬剤の服用に関する情報に基づいて、残薬量を推定する。  
これにより、医療関係者用表示画面サーバ１０は、患者により入力された薬剤の服用に関する情報を用いることで、残薬量の推定精度を高めることができる。その結果、医療関係者は、確度の高い残薬量の情報を参照することで、適切に患者を診察することができる。
【００９５】
さらに、本実施形態では、医療関係者用表示画面サーバ１０は、医療関係者による患者の診察を支援するための診察支援メッセージを含む表示画面を構成する表示データを作成する。  
これにより、医療関係者は、診察支援メッセージの支援により、血圧データと残薬量の組み合わせに応じた検討事項を一見して容易に把握することができるので、効率よく患者を診察することができる。
【００９６】
§４  変形例
（変形例１）
上記の実施形態では、血圧データを例にして説明したが、これに限定されない。上記の実施形態は、血圧データ以外の生体データにも適用可能である。生体データは、心電または脈拍数などの生体情報を示すデータであってもよい。この場合、患者に処方される薬剤は、心電または脈拍数に異常を起こす疾患に向けられたものである。
【００９７】
（その他の変形例）
要するにこの発明は、上記の実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素からいくつかの構成要素を削除してもよい。さらに、異なる実施形態に亘る構成要素を適宜組み合わせてもよい。
【００９８】
§５  付記  
上記各実施形態の一部または全部は、特許請求の範囲のほか以下の付記に示すように記載することも可能であるが、これに限定されない。  
（付記１）  
対象者の生体データを取得し、
前記対象者に処方された薬剤の残量を推定し、
前記生体データを示す生体データ表示及び前記残量を示す残薬量表示を含む表示画面を構成する表示データを作成し、
前記表示データを出力するように構成されているプロセッサと、
前記プロセッサを動作させる命令を記憶するメモリと、
を備えるデータ処理装置。  
（付記２）  
少なくとも１つのプロセッサを用いて、対象者の生体データを取得する生体データ取得過程と、
前記少なくとも１つのプロセッサを用いて、前記対象者に処方された薬剤の残量を取得する残量推定過程と、
前記少なくとも１つのプロセッサを用いて、前記生体データを示す生体データ表示及び前記残量を示す残薬量表示を含む表示画面を構成する表示データを作成する表示データ作成過程と、
前記少なくとも１つのプロセッサを用いて、前記表示データを出力する表示データ出力過程と、
を備えるデータ処理方法。
【符号の説明】
【００９９】
１０…医療関係者用表示画面サーバ、１１…制御部、１２…記憶部、１３…通信Ｉ／Ｆ、２０…医療関係者用携帯端末、３０…血圧計、４０…体重計、５０…活動量計、６０…患者用携帯端末、７０…データクラウド、８０…データ抽出サーバ、１１１…ＣＰＵ、１１２…ＲＯＭ、１１３…ＲＡＭ、２０１…検索ボックス表示、２０２…リンク表示、２０３…リンク表示、２０４…緊急度表示、２０５…警告表示、１１１１…生体データ取得部、１１１２…残量推定部、１１１３…判断部、１１１４…表示データ作成部、１１１５…表示データ出力部。
【図１】
2019032775.tif 000003
【図２】
2019032775.tif 000004
【図３】
2019032775.tif 000005
【図４】
2019032775.tif 000006
【図５】
2019032775.tif 000007
【図６】
2019032775.tif 000008
【図７】
2019032775.tif 000009
【図８】
2019032775.tif 000010
【図９】
2019032775.tif 000011
【図１０】
2019032775.tif 000012
【図１１】
2019032775.tif 000013
【図１２】
2019032775.tif 000014
【図１３】
2019032775.tif 000015
【図１４】
2019032775.tif 000016
【図１５】
2019032775.tif 000017
【図１６】
2019032775.tif 000018